(57)【特許請求の範囲】
【請求項１】
光ディスク装置であって、
ディスククランパーは、第１部材と第２部材とを備え、
前記第１部材は第１平板部と係止部を有する複数の起立部とを有し、
前記第２部材は複数の前記起立部が挿通される複数の貫通孔が形成される第２平板部と複数の周壁部と複数の前記貫通孔のうち少なくとも一つの貫通孔を構成する壁面から突出した突出部とを有し、
前記起立部は、前記貫通孔に挿通される挿通位置から回動されて前記係止部が前記周壁部に係止する係止位置に移動し、前記突出部の側部は前記起立部が前記係止位置から挿通位置に回動する際に前記起立部に当接して前記起立部の前記挿通位置への回動を規制する光ディスク装置。
【請求項２】
前記周壁部の一端と前記貫通孔の一部が重なり、前記起立部が前記貫通孔に挿通された状態で前記係止部は前記周壁部に係止しない請求項１に記載の光ディスク装置。
【請求項３】
前記突出部の周方向の幅は前記突出部の厚み方向の幅に比べて幅広に形成され、前記突出部を有する前記貫通孔が形成されている部分周辺の厚さが、前記突出部を有しない前記貫通孔が形成されている部分周辺の厚さよりも薄肉化して形成される請求項１又は請求項２に記載の光ディスク装置。
【請求項４】
前記貫通孔は前記周壁部の一端に対向する突起部を備え、前記起立部が前記貫通孔に挿通された状態で回動されたときに前記起立部が前記突起部と前記周壁部とに挟持される請求項１〜請求項３のいずれか１項に記載の光ディスク装置。
【発明の詳細な説明】
【技術分野】
【０００１】
本発明は、ＤＶＤやＣＤなどの光ディスクに記録・再生を行う光ディスク装置に関し、特に、光ディスクを挟持するディスククランパーを改良した光ディスク装置に関する。
【背景技術】
【０００２】
ＣＤ（Ｃｏｍｐａｃｔ ＤＩＳＣ）、ＤＶＤ（Ｄｉｇｉｔａｌ Ｖｅｒｓａｔｉｌｅ Ｄｉｓｃ）、ＢＤ（Ｂｌｕ−Ｒａｙ ＤＩＳＣ）等の光ディスクを記録媒体として用いる光ディスク装置では、光ピックアップより出射されたレーザ光を光ディスクの記録面に集光させて照射することでデータの記録を行い、及び（又は）前記記録面に照射され反射してきたレーザ光を検出して情報の再生を行っている。
【０００３】
従来の光ディスク装置は光ピックアップとターンテーブルが搭載されたトラバースシャーシをその後端部でローダーシャーシに上下回動可能に取り付けている。また、ターンテーブルの上方にはディスククランパーがメインシャーシのクランパー支持体の開口部に回転自在に取り付けられている。そして、光ディスクをディスクトレイに載せてターンテーブルとディスククランパーの間に送り込んだときに、トラバースシャーシをカムスライダーによって上昇（上方に回動）させ、ターンテーブルとディスククランパーとで光ディスクの中央開口縁を挟持して光ディスクを回転させながら、光ピックアップからレーザービームを光ディスクに照射して記録・再生を行うように構成されている。
【０００４】
このような光ディスク装置における光ディスクのクランパー方式（挟持方式）としては、ディスククランパーの内部にマグネットとヨークを内蔵し、他方、ターンテーブルの上面にヨークを設けて、このディスククランパーとターンテーブルで光ディスクを挟持するマグネット方式のものがある。なお、ヨークはマグネットの磁性部材から生じる磁力の漏れを少なくさせるものである。
【０００５】
以下、従来のマグネット方式のディスククランパーについて図６を参照しながら説明する。従来のマグネット方式のディスククランパーは、図６（ａ）に示す第１部材（下側クランパー）８０と図６（ｂ）に示す第２部材９０（上側クランパー）とマグネットとヨークとを備え、例えば第１部材８０にマグネットとヨークをこの順に載置し、当該マグネットとヨークとを、第１部材８０との問で挟み込むように第２部材９０を被せて第１部材８０と第２部材９０とを固定することによりマグネット方式のディスククランパーの組み立てが完了する。
【０００６】
従来のディスククランパーの組立手順について詳説すると、まず、第２部材９０をマグネットとヨークとが載置された第１部材８０に被せることで、第２部材が備えるリング部９１が、第１部材８０が備える起立片８１の上端に形成された係止爪に係止される。これによって、第２部材９０の第１部材８０に対する上下動が規制される。次に、リング部９１が起立片８１の係止爪に係止された状態で第２部材９０を反時計回りに少し回動することによって、第２部材９０が備える突出ボス（図示せず）を、第１部材が備える嵌合溝（図示せず）に嵌める。これによって、第２部材９０の第１部材８０に対する回動が規制される。なお、第１部材８０のリング部８２と、第２部材９０のリング部９１とは、ヨークとマグネットとを挟持するディスククランパーの本体胴体部を形成するものである。
【０００７】
特許文献１に記載されているディスク装置において、クランパーは下側クランパーと上側クランパーとを備えて構成されている。このようなクランパーの組立手順としては、まず、下側クランパーの突出ボスの上面と、上側クランパーの基部の底面とが当接するように、下側クランパーと上側クランパーとを重ね合わせる。次に、上側クランパーを時計回りに回転させ、上側クランパーの係止爪と、下側クランパーの係止溝とを係止させるとともに、下側クランパーのボスを上側クランパーのボス孔に嵌入させることによって係止爪が係止溝から離脱することを防止することが開示されている。
【０００８】
特許文献２に記載されているディスク装置において、クランパーは樹脂板と金属板とを備えて構成されている。このようなクランパーの組立手順としては、樹脂板の上に金属板を設置した状態で金属板を樹脂板に対してわずかに時計方向へ回転させることによって樹脂板の3つのフックがそれぞれ金属板の３つの小孔に係合し、これによって樹脂板と金属板とが互いに連結されることが開示されている。
【先行技術文献】
【特許文献】
【０００９】
【特許文献１】特開２００８−２４３３０３号公報
【特許文献２】特開２００７−２６５５２６号公報
【発明の概要】
【発明が解決しようとする課題】
【００１０】
第１部材が備えるディスククランパーの本体胴体部を形成するリング部（周壁部）が、第２部材が備える起立片に係止されることによって、第１部材の第２部材に対する上下動が規制される方式のディスククランパーは、上述したように第１部材を第２部材に被せることによって（被せると同時に）、第１部材の第２部材に対する上下動が規制される。
【００１１】
一方、第１部材の第２部材に対する回動を規制するためには、上述したように第１部材の第２部材に対する上下動が規制されている状態で、第１部材を少し回動することによって（図６においては、反時計回りに回動することによって）、第１部材が備える突出ボスを、第２部材が備える嵌合溝に嵌める必要があった。
【００１２】
しかしながら、組立過程においては、第１部材を第２部材に被せた時点で取り付けが完了したものと判断され、第１部材の第２部材に対する回動が規制されていない状態（組立不良状態）でディスク装置に取り付けられることがあった。
【００１３】
本発明は上述した問題点に鑑み、組立不良を防止するディスククランパーを備える光ディスク装置を提供することを目的とする。
【課題を解決するための手段】
【００１４】
上記目的を達成するために本発明の光ディスク装置は、ディスククランパーを備える光ディスク装置であって、前記ディスククランパーは、第１円板部と、前記第１円板部に同心の円周に沿って所定の間隔をあけて形成され、先端に係止爪を有する複数の起立片とを備える第１部材と、複数の前記起立片が挿通される複数の貫通孔が形成される第２円板部と、前記第２円板部に同心の円周に沿って、所定の間隔をあけて形成される複数の周壁部とを備える第２部材と、を備え、前記起立片が各周壁部の間隔を通って前記貫通孔に挿通された状態で回動されることにより、前記係止爪が前記周壁部を係止することを特徴としている。
【００１５】
この構成によれば、周壁部が所定の間隔をあけて形成されていることにより、起立片が当該所定の間隔を通って貫通孔に挿通されたときに、起立片の先端に形成されている係止爪と周壁部とが接触しない（周壁部が係止爪に係止されない）。つまり、起立片が貫通孔に挿通された状態で回動されなければ第１部材の第２部材に対する上下動の規制が行われない。従って、起立片が貫通孔に挿通された段階でディスククランパーの組み立てが完了したものと判断されることがなく、組立不良の発生を防止することができる。
【００１６】
また上記構成の光ディスク装置において、複数の前記貫通孔のうち少なくとも一つの貫通孔に突出片が形成されていることが望ましい。
【００１７】
この構成によれば、起立片の係止爪が周壁部を係止している状態において、第１部材又は第２部材に、当該係止を解除する方向に回動させる力が加わったときに、起立片と突出片とが接触することによって、その回動を妨げるので、起立片の係止爪と周壁部との係止が解除されない。
【００１８】
また上記構成の光ディスク装置において、前記第２円板部において、前記突出片を有する前記貫通孔が形成されている部分周辺の厚さが、前記突出片を有しない前記貫通孔が形成されている部分周辺の厚さよりも薄肉化して形成されることが望ましい。
【００１９】
この構成によれば、第２円板部において、突出片が形成される貫通孔が形成されている部分周辺の厚さが薄肉化して形成されるので、突出片の上下方向の柔軟性が高められ、突出片を押し上げやすくなる。これにより、ディスククランパーの組み立ての作業性、組み立て解除の作業性を向上させることができる。
【００２０】
また上記構成の光ディスク装置において、前記第１部材は、ターンテーブルと一対になって光ディスクを挟持し、前記第２部材は、クランパー支持体に回転自在に支持されることが望ましい。
【００２１】
この構成によれば、ターンテーブルと一対になって光ディスクを扶持する第１部材に、起立片を挿通させるための貫通孔が形成されないので、第１部材の強度が低下するのを防ぐことができる。
【発明の効果】
【００２２】
本発明によれば、周壁部が所定の間隔をあけて形成されていることにより、起立片が貫通孔に挿通されたときに、起立片の先端に形成されている係止爪と周壁部とが接触しない（周壁部が係止爪に係止されない）。つまり、起立片が貫通孔に挿通された状態で回動されなければ第１部材の第２部材に対する上下動の規制が行われない。従って、起立片が貫通孔に挿通された段階でディスククランパーの組み立てが完了したものと判断されることがなく、組立不良の発生を防止することができる。
【図面の簡単な説明】
【００２３】
【図１】は、本発明の光ディスク装置の一例であるＢＤ再生装置の構成を示すブロック図である。
【図２】は、本発明の光ディスク装置が備えるディスククランパーが備える第１部材の上面斜視図である。
【図３】は、本発明の光ディスク装置が備えるディスククランパーが備える第２部材の底面斜視図である。
【図４】は、本発明の光ディスク装置が備えるディスククランパーが備える第２部材の上面斜視図である。
【図５】は、本発明の光ディスク装置が備える第１部材の別の例を示す上面斜視図である。
【図６】は、本発明の光ディスク装置が備えるディスククランパーの分解斜視図である。
【発明を実施するための形態】
【００２４】
以下に本発明の光ディスク装置の一例としてＢＤ（Blu-ray Disc）再生装置を用いて説明する。但し、以下に示す実施形態は、本発明の技術的思想を具体化するために本発明の光ディスク装置の一例を示すものであって、本発明をこの光ディスク装置に特定することを意図するものではなく、特許請求の範囲に含まれるその他の実施形態の装置にも等しく適応し得るものである。
【００２５】
図１は、ＢＤ再生装置６０の構成を示すブロック図である。ＢＤ再生装置６０は、光ピックアップ６１と、ＲＦアンプ６２と、モータ６３と、サーボ回路６４と、信号処理回路６５と、トラックバッファ６６と、システムデコーダ６７と、システムマイコン（制御部）６８と、表示部６９と、フラッシュＲＯＭ７０とを備えている。
【００２６】
ディスクトレイによりローデイングされた光ディスクｄは、ターンテーブル９上に載置されてターンテーブル９とディスククランパー１０とに挟持されて、ターンテーブル９とともにモータ６３により回転駆動される。
【００２７】
光ピックアップ６１は、所定波長のレーザ光を光ディスクｄの記録面に向けて照射し、その反射光を受けて電気信号（反射光検出信号）に変換する。また光ピックアップ６１は、この反射光検出信号をＲＦアンプ６２に供給する。なお、光ピックアップ６１は、光ディスクｄから対象のデータを適宜読み出すことができるように、所定のガイド軸等により、光ディスクｄの径方向に移動自在に支持されている。
【００２８】
ここで、光ピックアップ６１に搭載されている再生用のレーザダイオード７１は、同一の駆動電流が流された場合であっても、温度変化や経時劣化に応じて出力するレーザ強度が変化する。そこで、光ピックアップ６１では、例えば、レーザダイオード７１の出力するレーザ強度を検出し、レーザ強度を再生処理可能な値にするよう駆動電流を調整するようになっている。調整した後の駆動電流値（Ｉｏｐ）は、フラッシュＲＯＭ７０などに記録する。
【００２９】
ＲＦアンプ６２は、光ピックアップ６１より供給された反射光検出信号からＲＦ信号、トラッキング信号、及びフォーカス信号等を生成する。更に、ＲＦ信号をデータスライスした二値化信号を生成する。ＲＦアンプ６２は、生成したトラッキング信号等をサーボ回路６４に供給し、また、生成した二値化信号を再生信号として信号処理回路６５に供給する。
【００３０】
モータ６３は、光ディスクdを搭載する所定のターンテーブルを回転させるためのスピンドルモータ等からなる。モータ６３は、サーボ回路６４により制御され、光ディスクｄを例えば線速度が一定となるように回転駆動させる。
【００３１】
サーボ回路６４は、モータ６３を駆動制御し、所定の回転速度で回転駆動させる。また、サーボ回路６４は、ＲＦアンプ６２から供給されるトラッキング信号等によりスレッドモータ（不図示）を駆動制御し、光ピックアップ６１を光ディスクｄの径方向に適宜移動させる。
【００３２】
信号処理回路６５は、ＲＦアンプ６２から供給される再生信号を復調し、そして、誤り訂正等を行う。信号処理回路６５は、この復調等により得られた復調データをトラックバッファ６６に順次供給する。
【００３３】
トラックバッファ６６は、所定容量のＲＡＭ等からなり、信号処理回路６５から供給された復調データを順次記憶する。なお、トラックバッファ６６に記憶された復調データは、システムデコーダ６７へ逐次供給される。
【００３４】
システムデコーダ６７は、トラックバッファ６６から供給される復調データをデコードし、映像データ及び音声データ等を生成する。システムデコーダ６７は、生成した映像データ及び音声データ等を所定のＡＶアンプ等に供給する。
【００３５】
システムマイコン６８は、例えば、ＲＯＭ、ＲＡＭ、及びＣＰＵを備えた１チップマイコン等からなり、ＢＤ再生装置１０全体を制御する。例えば、システムマイコン６８は、読み出し対象となる対象データのアドレスを設定し、サーボ回路６４等を制御して、設定したアドレスの対象データをサーチする。そして、サーチした対象データを光ディスクｄから読み出し、信号制御回路１５を制御して、読み出した対象データ（再生信号）の復調及び誤り訂正等を行い、復調データをトラックバッファ６６に格納する。システムマイコン６８は、これらアドレス設定、サーチ、読み出し、復調・誤り訂正、データ格納等からなる一連の動作をトラックバッファ６６の空き容量等に応じて繰り返し行う。
【００３６】
またこれらの動作と並行して、システムマイコン６８は、システムデコーダ６７を制御してトラックバッファ６６に格納されている復調データをデコードし、映像データ及び音声データ等を順次再生する。
【００３７】
表示部６９は、ＬＣＤ（Liquid Crystal Display）パネル等からなり、ＢＤ再生装置１０の動作状況等を表示する。
【００３８】
次に本発明の光ディスク装置が備えるディスククランパーについて図面を参照して説明する。図２は本発明の光ディスク装置が備えるディスククランパーが備える第１部材の上面斜視図である。また、図３は本発明の光ディスク装置が備えるディスククランパーが備える第２部材の底面斜視図である。また、図４は本発明の光ディスク装置が備えるディスククランパーが備える第２部材の上面斜視図である。
【００３９】
ディスククランパー１０は所定の間隔をあけて形成される複数の第１周壁部２1と所定の間隔をあけて形成される複数の第２周壁部３１によって構成された円筒部と、円筒部の軸方向の一端側に同心状に設けられている第１円板部２２と、円筒部の軸方向の他端側に同心状に設けられている第２円板部３２を備えている。第１周壁部２１と第１円板部２２とは一体成型されて第１部材２０を構成し、第２周壁部３１と第２円板部３２とは一体成型されて第２部材３０を構成する。すなわち、ディスククランパー１０は第１部材２０と第２部材３０とを備えると言い換えることができる。
【００４０】
なお、ディスククランパー１０において第１部材２０はターンテーブル（図１に示すターンテーブル９）との間で光ディスクを挟持するものであり、第２部材３０はクランパー支持体（図示せず）に回転自在、軸方向変位自在に支持されるものである。すなわち、第２部材３０（第２部材３０を備えるディスククランパー１０）がクランパー支持体に支持された状態でクランパー支持体が回動することによってディスククランパー１０がターンテーブル９に接近し、第１部材２０（第１部材２０を備えるディスククランパー１０）とターンテーブル9とで光ディスクを挟持する。
【００４１】
［第１部材］
図２はディスククランパー１０が備える第１部材（下側クランパー）２０の上面斜視図である。
【００４２】
第１部材２０の中心部には、円環凹形状のマグネット保持部２３が形成されている。マグネット保持部２３は、マグネット４０が載置されるマグネット載置部２３１と、マグネット載置部２３１の周りを囲むように形成されている小周壁部２３２とからなり、マグネット保持部２３はマグネット載置部２３１に載置されたマグネット４０を保持する。また、マグネット保持部２３は、マグネット４０の上にヨーク５０が載置されたときは、ヨーク５０も併せて保持する。
【００４３】
小周壁部２３２の外側には、小周壁部２３２に同心の円周に沿って、第１周壁部２１と略L字状の起立片２４とが交互に三つずつ形成されている。起立片２４はその周囲が略コ字状に切り抜かれた切抜孔（嵌合孔）２６に囲まれており、起立片２４の内周側で第１円板部２２に連結されている。
【００４４】
起立片２４はその先端（上端）に係止爪２５が形成されており、係止爪２５は起立片２４が後述する第２部材３０の貫通孔３５に挿通され、第２部材３０が回動されたときに、第２部材の第２周壁部３１を係止することによって、第１部材２０と第２部材３０とを固定する働きを担う。
【００４５】
なお、本実施形態では第１周壁部２１と起立片２４とを交互に形成することとしているが、例えば第１周壁部２１を円環状とし、円環状の第１周壁部２１の上面に沿って所定の間隔をあけて３つの起立片２４を突出形成することとしてもよい。
【００４６】
[第２部材]
図３は、ディスククランパー１０が備える第２部材３０の底面斜視図である。また、図４は、ディスククランパー１０が備える第２部材３０の上面斜視図である。
【００４７】
図３に示すように、第２円板部３１の中心部には、第２円板部３１に同心状にセンターホルダ３３が形成されており、当該センターホルダ３３が第１円板部２１のマグネット載置部２３１に載置される円環状のマグネット４０及びヨーク５０と磁気的に結合しているヨーク５０の中心孔に挿通されることによってマグネット４０及びヨーク５０がセンタリングされる。
【００４８】
センターホルダ３３の外側には、第２円板部３２からＵ字状に切り離され、その先端部がディスククランパー１０の内部に向かって突き出すように形成されている押さえ部３４ａを有する押さえ片３４が第２円板部３２に同心の円周に沿って所定の間隔をあけて三つ形成されている。押さえ片３４はディスククランパー１０に内蔵されたマグネット４０とヨーク５０を第１部材２０の第１円板部２２に向かって押さえつける押さえ手段を構成し、これにより、マグネット４０とヨーク５０をディスククランパー１０内においてしっかりと保持することができる。
【００４９】
押さえ片３４の外側には、第２円板部３２に同心の円周に沿って、３つの第２周壁部３１がそれぞれ所定の間隔Ｇをあけて形成されている。間隔Ｇは、第１部材の起立片２４が後述する貫通孔３５に挿通されたときに、第２周壁部３１と起立片２４とが接触しないように（第２周壁部３１が起立片２４の係止爪２５に係止されないように）するために形成されている。言い換えると、起立片２４は間隔Ｇを通って貫通孔３５に挿通される。
【００５０】
第２円板部３２の外周部には、第１円板部２２に形成される起立片２４が挿通されると共に、第２周壁部３１の上面の一部を露出させる貫通孔３５が三つ形成されている。また、三つの貫通孔３５のうち、一つの貫通孔３５には、間隔Ｇの一部を覆うように、貫通孔３５の内周壁から第２円板部３２の半径方向に延びる突出片３６が形成されている。この突出片３６は、第２周壁部３１が起立片２４の係止爪２５に係止されているときに、第１部材２０又は第２部材３０が当該係止を解除する方向に回動するのを防ぐ（詳細は後述）。
【００５１】
また、貫通孔３５の内周側には、ディスククランパー１０の内部に向かって突き出すように突起部３７が形成されている。この突起部３７は、起立片２４が貫通孔３５に挿通された状態で、第１部材２０又は第２部材３０を回動させて、起立片２４の係止爪２５と第２周壁部３１とを係止させるときに、第２周壁部３１との間で起立片２４を挟み込み、起立片２４の係止爪２５と第２周壁部３１とを確実に係止させる働きを担う（詳細は後述）。
【００５２】
また、第２円板部３２において、突出片３６を有する貫通孔３５が形成されている部分周辺（図中の３２ａ）の厚みが、その他の部分（突出片３６を有しない貫通孔３５が形成されている部分周辺であり、図中の３２ａ以外の部分）の厚みよりも薄肉化して形成されている。これによって、突出片３６の上下方向（第２周壁部３１の軸方向）の柔軟性が高められるので、後述するように、ディスククランパー１０の組み立ての作業性、組み立て解除の作業性を向上させることができる。
【００５３】
なお、突出片３６が形成されている部分周辺（図中の３２ａ）を薄肉形成しても、突出片３６において、第２円板部３２の円周方向への剛性は弱まらないため、通常使用時において、起立片２４の係止爪２５と第２周壁部３１との係止が解除されることはない。
【００５４】
図４に示すように、第２部材３０は、第２円板部３２に貫通孔３５が形成されていることにより、上面視において第２周壁部３１の上面側が露出している。また、上述したように、第１部材２０の起立片２４が貫通孔３５に押通されたときに、起立片２４と第２周壁部３１とが接触しないように、各第２周壁部３１が所定の間隔Ｇをあけて形成されていることにより、各貫通孔３５の開口領域は、各貫通孔３５の円弧方向略中央部を境として第２周壁部３１の上面側を露出する領域と、所定の間隔Ｇに重なる領域とを有している。
【００５５】
貫通孔３５の外周縁近傍には略三角状の凹部３８が２個形成されており、回動位置を示している（詳細は後述）。なお、本実施形態においては突出片３６が形成されている貫通孔３５の外周縁近傍には、凹部３８が形成されていないが、凹部３８を形成することとしてもよい。
【００５６】
次に本発明の光ディスク装置が備えるディスククランパーの組立手順について図面を参照して説明する。図５は本発明の光ディスク装置が備えるディスククランパーの分解斜視図である。なお、クランパーカバー１００は、光ディスク装置１０の本体フレーム（メインシャーシ）の上部を覆うカバーシャーシである。
【００５７】
まず、第１部材２０をクランパーカバー１００の下面側からクランパーカバー１００に近づけ、第１部材２０の第１周壁部２１をクランパーカバー１００に形成されている孔部１０１に挿入する。
【００５８】
次に、第１部材２０の第１周壁部２１を孔部１０１に挿入している状態で、クランパーカバー１００の上面側からマグネット４０とヨーク５０とをこの順に、第１部材２０のマグネット載置部２３１に載置する。
【００５９】
マグネット４０とヨーク５０とをこのような順番でマグネット載置部２３１に載置するのは、ディスククランパーとターンテーブルとで光ディスクを挟持するクランパー方式において、ディスククランパーに内蔵されたヨークとマグネットの位置関係は、ディスククランパーのマグネットとターンテーブルのヨークの間で磁気的な吸引力を発生させるために、ターンテーブル側にマグネットを配置し、クランパー支持体側（マグネットの上方）にヨークを配置する必要があるからである。
【００６０】
なお、上記説明では、第１部材２０の第１周壁部２１を孔部１０１に挿入している状態で、クランパーカバー１００の上面側からマグネット４０とヨーク５０とをこの順に、第１部材２０のマグネット載置部２３１に載置することとしているが、予めマグネット４０とヨーク５０とマグネット載置部２３１に載置した状態で、第１部材２０の第１周壁部２１を孔部１０１に挿入することとしてもよい。
【００６１】
次に、第２部材３０をクランパーカバー１００の上面側からクランパーカバー１００に近づけ、第２部材３０の第２周壁部３１をクランパーカバー１００に形成されている孔部１０１に挿入すると共に、第２部材３０の貫通孔３５に第１部材２０の起立片２４を挿通させるようにして、第２部材３０を第１部材２０に被せる。
【００６２】
そのとき、起立片２４を貫通孔３５に挿通させようとしても、突出片３６が形成されている貫通孔３５においては、起立片２４の係止爪２５が突出片３６に衝突するので、起立片２４を貫通孔３５に挿通させることができない。
【００６３】
そこで、上述したように、第２円板部３２において、突出片３６を有する貫通孔３５が形成されている部分周辺（図３中の３２ａ）の厚みを、その他の部分（突出片３６を有しない貫通孔３５が形成されている部分周辺）の厚みよりも薄肉化して形成することにより、突出片３６の上下方向（第２周壁部３１の軸方向）の柔軟性を高め、係止爪２５で突出片３６を押し上げることによって、起立片２４を貫通孔３５に挿通させる。
【００６４】
次に、全ての（３つの）起立片２４を全ての（３つの）貫通孔３５に挿通させた状態で第２部材３０を図中の矢印Ａが示すように反時計回りに回動させて、起立片２４を第２周壁部３１と突出部３７との間に嵌め込む。そして、起立片２４を第２周壁部３１と突出部３７との間に嵌め込んだ状態で、第２円板部３２の上面に形成されている２つの凹部３８（図４参照）の間に、起立片２４が位置するまで、第２部材３０を回動する。
【００６５】
これにより、起立片２４が第２周壁部３１に向かって押し付けられつつ、起立片２４の係止爪２５が第２周壁部３１を係止するので、第２部材３０の第１部材２０に対する上下動が規制される。
【００６６】
第２周壁部３１が起立片２４の係止爪２５に係止されている状態において、例えば第２部材３０に、係止爪２５と第２周壁部３１との係止を解除する方向（時計回り）に回動する力が加わったときには、起立片２４の側面が突出片３６の側部に衝突するので、起立片２４の係止爪２５と第２周壁部３１との係止を解除する方向への回動が規制される。
【００６７】
従って、起立片２４の係止爪２５を第２周壁部３１の上面に係止させることによって、第２部材３０の第１部材２０に対する上下動が規制されると共に、第２部材３０の第１部材２０に対する回動も規制されることになる。
【００６８】
なお、起立片２４の係止爪２５と第２周壁部３１との係止を解除するときには、突出片３６を押し上げることで、第２部材３０を時計周りに回動させたときに、起立片２４の側面と突出片３６の側部とが衝突しないようにすればよい。
【００６９】
[別の例]
本発明は、以上に示した実施形態に限定されるものではなく、本発明の目的を逸脱しない範囲で種々の変更が可能である。
【００７０】
例えば、上記実施形態において、マグネット４０及びヨーク５０をセンタリングするセンターホルダ（図３におけるセンターホルダ３３）を第２部材３０が有することとしているが、第１部材２０がセンターホルダを有することとしてもよい。この構成によれば、第１部材２０のマグネット載置部２３１にマグネット４０及びヨーク５０を載置することによって、自動的にマグネット４０及びヨーク５０がセンタリングされることになり、組立作業性が向上する。
【００７１】
また、第２部材３０の第２周壁部３１に、第１円板部３２に向かって突き出す突出ボスを形成することとしてもよい。この突出ボスは、第２周壁部３１が起立片２４の係止爪２５に係止されたときに、切抜孔（嵌合孔）２６に嵌ることにより、例えば第２部材３０に、係止爪２５と第２周壁部３１との係止を解除する方向（時計回り）に回動する力が加わったときには、突出ボスの側面が切抜孔（嵌合孔）２６の内周壁に衝突するので、起立片２４の係止爪２５と第２周壁部３１との係止を解除する方向への回動が規制される。
【００７２】
また、第１円板部２２の外周部に、先端が第１円板部２２の上方に突き出されるように形成される押さえ片を形成し、第２周壁部３１が起立片２４の係止爪２５に係止されたときに第２周壁部３１（第２周壁部３１を有する第２部材３０）を上方に押し上げることによって起立片２４の係止爪２５と第２周壁部３１との係止を強固なものとすることとしてもよい。
【産業上の利用可能性】
【００７３】
本発明は、光ディスクをチャックするディスククランパーを備える光ディスク装置に利
用できる。
【符号の説明】
【００７４】
１０    ディスククランパー
２０    第１部材
３０    第２部材
３５    貫通孔
３６    突出片
４０    マグネット
５０    ヨーク
１００  クランパーカバー
【図１】
0005423730.tif 000002
【図２】
0005423730.tif 000003
【図３】
0005423730.tif 000004
【図４】
0005423730.tif 000005
【図５】
0005423730.tif 000006
【図６】
0005423730.tif 000007